(57)【要約】【課題】  外部のMP3プレーヤー/ウォークマンの選曲や音量の調整が出来る無線リモコン機能付き車載用FM発射器を提供する。【解決手段】  USB接点とMP3及びWMAデコード機能を内蔵する車載用FM発射器であり、車載用12Vシガーライターソケットにより、電源が提供され、無線リモコンで、外部のMP3プレーヤー/ウォークマンの選曲や音量の調整が出来る。【選択図】図１
0003115727.tif 000002
【実用新案登録請求の範囲】
【請求項１】
外部のUSB MP3プレーヤーやウォークマンと接続するためのUSB接点を内蔵し、もう一端が車載用12Vシガーライターソケットに接続され、MP3とWMAデコードチップ及び無線デコードチップが設けられる、FM発射器本体と、
MP3とWMAデコードチップを介して、MP3プレーヤー/ウォークマンのコンピュータプログラムMP3音源ファイルを、FM信号に変換し、そして、車載用オーディオのFM放送局に発射する無線エンコードを内蔵する、無線リモコンと、が含有され、
カーユーザーは、無線リモコンで、外部のMP3プレーヤー/ウォークマンの選曲や音量の調整が出来る、ことを特徴とする、無線リモコン機能付き車載用FM発射器。
【請求項２】
無線リモコンは、赤外線無線リモコンである、ことを特徴とする請求項１に記載の無線リモコン機能付き車載用FM発射器。
【考案の詳細な説明】
【技術分野】
【０００１】
本考案は、無線リモコン機能付き車載用FM発射器に関し、特に、USB接点とMP3及びWMAデコード機能を内蔵する車載用FM発射器であって、チップデコード変換を介して、外部のMP3プレーヤー/ウォークマンのコンピュータフォーマットのMP3音源ファイルを、FM信号に変換して、一般FM放送局へ発射し、ユーザーは、無線リモコンで、外部のMP3プレーヤー/ウォークマンの選曲や音量の調整ができるものに関する。
【背景技術】
【０００２】
MP3音楽の普及やApple
iPodの白い風潮により、そして、マーケティングの発揮により、携帯式音楽の第四回革命が登臨し、レコードプレーヤー、カセット・テープ、CDプレーヤー、そして、現代のMP3プレーヤーとウォークマン及び家庭用オーディオのように、これからは、USB接点とMP3フォーマットデコード機能を有するUSBプレーヤーへ突入する。
【０００３】
カーユーザーの増加とともに、カーユーザーの携帯式音楽に対する要求が厳しくなり、携帯式音楽の第四回革命の登臨により、室内や家庭或いは路上にいる人間、そして、カーユーザーの生活が大きく変貌し、そのため、新車であっても古臭い中古車であっても、カーユーザーにとっては、車の元のオーディオを改装しないまま、元の車載用オーディオを利用して、そして、USBプレーヤー/ウォークマンを合わせて、無線リモコンで選曲や音量調整をできる、そして、MP3音楽の多様性や便利性を楽しめるものが、好ましい。
【０００４】
一般市販のMP3デコード機能付きの車載用FM発射器には、無線リモコン機能がないため、カーユーザーにとって、不便であり、特に、12Vシガーライターソケットの位置が低いため、制御ボタンを操作することにより、危険を招致する場合が多い。
【０００５】
本考案者は、その問題を解消するため、業界においての長年の経験に基づいて、慎重に研究して、何度もの改良を介して、USB接点とMP3及びWMAデコード機能を内蔵し、従来製品の欠点を解消できる新型の無線リモコン機能付き車載用FM発射器を提案した。
【考案の開示】
【考案が解決しようとする課題】
【０００６】
本考案は、無線リモコン機能付き車載用FM発射器を提供する。
【課題を解決するための手段】
【０００７】
本考案の主な目的は、USB接点とMP3及びWMAデコード機能を内蔵し、ユーザーにより、無線リモコンで、外部のMP3プレーヤー/ウォークマンの選曲や音量の調整が出来る無線リモコン機能付き車載用FM発射器を提供する。
【０００８】
以下、図面を参照しながら、本考案を詳しく説明する。
【考案を実施するための最良の形態】
【０００９】
図１は、主として、FM発射器本体101と無線リモコン100からなる本考案の車載用MP3數位FM播放装置であり、FM発射器本体101に内蔵されるUSB接点1011には、外部のUSB
MP3プレーヤー/ウォークマン102が接続され、FM発射器本体101のもう一端には、車載用12Vシガーライターソケット103に接続され、これにより、FM発射器本体101に、電源が提供され、図２のように、本考案に係わるFM発射器本体101には、MP3とWMAデコードチップ1012のファイルデコードが設けられるため、外部のMP3プレーヤー/ウォークマン102の選曲や音量の調整が出来、また、FM発射器本体101に内蔵される無線デコードチップ1013と無線リモコン100に内蔵される無線エンコードは、赤外線リモコンにより、MP3とWMAデコードチップ1012を介して、MP3プレーヤーやウォークマンのコンピュータプログラムMP3音源ファイルを、FM信号に変換し、そして、一般の車載用オーディオ104のFM放送局に発射し、ユーザーは、無線リモコン100で、外部のMP3プレーヤーやウォークマンの選曲や音量の調整が出来る。
【００１０】
以上の説明は、ただ、本考案のより良い具体的な実施例であり、本考案は、それによって制限されず、当該技術を良く分かる熟練者であれば、本考案の領域において、簡単に変更や修正ができ、その等価な変更や修正は、全てが本考案の実用新案登録請求の範囲に含まれる。
【００１１】
本考案に係わる無線リモコン機能付き車載用FM発射器は、USB接点とMP3及びWMAデコード機能を内蔵する車載用FM発射器であり、実用的であり、そして、本考案が、公開されることも刊行物に披露されることもないため、法に従って、実用新案登録請求を出願する。
【図面の簡単な説明】
【００１２】
【図１】本考案の構造概念図
【図２】本考案に係わるFM発射器本体と無線リモコンの構成概念図
【符号の説明】
【００１３】
(100)無線リモコン           (101)FM発射器本体
(1011)USB接点               (1012)MP3とWMAデコードチップ
(1013)無線デコードチップ    (102)USB MP3プレーヤー/ウォークマン
(103)シガーライターソケット (104)車載用オーディオ
【図１】
0003115727.tif 000003
【図２】
0003115727.tif 000004
【手続補正書】
【提出日】平成17年8月23日(2005.8.23)
【手続補正１】
【補正対象書類名】実用新案登録請求の範囲
【補正対象項目名】全文
【補正方法】変更
【補正の内容】
【実用新案登録請求の範囲】
【請求項１】
外部のUSB MP3プレーヤーや携帯用音楽プレーヤーと接続するためのUSB接点を内蔵し、もう一端が車載用12Vシガーライターソケットに接続され、MP3とWMAデコードチップ及び無線デコードチップが設けられる、FM発射器本体と、
MP3とWMAデコードチップを介して、MP3プレーヤー/携帯用音楽プレーヤーのコンピュータプログラムMP3音源ファイルを、FM信号に変換し、そして、車載用オーディオのFM放送局に発射する無線エンコードを内蔵する、無線リモコンと、が含有され、
カーユーザーは、無線リモコンで、外部のMP3プレーヤー/携帯用音楽プレーヤーの選曲や音量の調整が出来る、ことを特徴とする、無線リモコン機能付き車載用FM発射器。
【請求項２】
無線リモコンは、赤外線無線リモコンである、ことを特徴とする請求項１に記載の無線リモコン機能付き車載用FM発射器。
【手続補正２】
【補正対象書類名】明細書
【補正対象項目名】全文
【補正方法】変更
【補正の内容】
【考案の詳細な説明】
【技術分野】
【０００１】
本考案は、無線リモコン機能付き車載用FM発射器に関し、特に、USB接点とMP3及びWMAデコード機能を内蔵する車載用FM発射器であって、チップデコード変換を介して、外部のMP3プレーヤー/携帯用音楽プレーヤーのコンピュータフォーマットのMP3音源ファイルを、FM信号に変換して、一般FM放送局へ発射し、ユーザーは、無線リモコンで、外部のMP3プレーヤー/携帯用音楽プレーヤーの選曲や音量の調整ができるものに関する。
【背景技術】
【０００２】
MP3音楽の普及やApple
iPodの白い風潮により、そして、マーケティングの発揮により、携帯式音楽の第四回革命が登臨し、レコードプレーヤー、カセット・テープ、CDプレーヤー、そして、現代のMP3プレーヤーと携帯用音楽プレーヤー及び家庭用オーディオのように、これからは、USB接点とMP3フォーマットデコード機能を有するUSBプレーヤーへ突入する。
【０００３】
カーユーザーの増加とともに、カーユーザーの携帯式音楽に対する要求が厳しくなり、携帯式音楽の第四回革命の登臨により、室内や家庭或いは路上にいる人間、そして、カーユーザーの生活が大きく変貌し、そのため、新車であっても古臭い中古車であっても、カーユーザーにとっては、車の元のオーディオを改装しないまま、元の車載用オーディオを利用して、そして、USBプレーヤー/携帯用音楽プレーヤーを合わせて、無線リモコンで選曲や音量調整をできる、そして、MP3音楽の多様性や便利性を楽しめるものが、好ましい。
【０００４】
一般市販のMP3デコード機能付きの車載用FM発射器には、無線リモコン機能がないため、カーユーザーにとって、不便であり、特に、12Vシガーライターソケットの位置が低いため、制御ボタンを操作することにより、危険を招致する場合が多い。
【０００５】
本考案者は、その問題を解消するため、業界においての長年の経験に基づいて、慎重に研究して、何度もの改良を介して、USB接点とMP3及びWMAデコード機能を内蔵し、従来製品の欠点を解消できる新型の無線リモコン機能付き車載用FM発射器を提案した。
【考案の開示】
【考案が解決しようとする課題】
【０００６】
本考案は、無線リモコン機能付き車載用FM発射器を提供する。
【課題を解決するための手段】
【０００７】
本考案の主な目的は、USB接点とMP3及びWMAデコード機能を内蔵し、ユーザーにより、無線リモコンで、外部のMP3プレーヤー/携帯用音楽プレーヤーの選曲や音量の調整が出来る無線リモコン機能付き車載用FM発射器を提供する。
【０００８】
以下、図面を参照しながら、本考案を詳しく説明する。
【考案を実施するための最良の形態】
【０００９】
図１は、主として、FM発射器本体101と無線リモコン100からなる本考案の車載用MP3數位FM播放装置であり、FM発射器本体101に内蔵されるUSB接点1011には、外部のUSB
MP3プレーヤー/携帯用音楽プレーヤー102が接続され、FM発射器本体101のもう一端には、車載用12Vシガーライターソケット103に接続され、これにより、FM発射器本体101に、電源が提供され、図２のように、本考案に係わるFM発射器本体101には、MP3とWMAデコードチップ1012のファイルデコードが設けられるため、外部のMP3プレーヤー/携帯用音楽プレーヤー102の選曲や音量の調整が出来、また、FM発射器本体101に内蔵される無線デコードチップ1013と無線リモコン100に内蔵される無線エンコードは、赤外線リモコンにより、MP3とWMAデコードチップ1012を介して、MP3プレーヤーや携帯用音楽プレーヤーのコンピュータプログラムMP3音源ファイルを、FM信号に変換し、そして、一般の車載用オーディオ104のFM放送局に発射し、ユーザーは、無線リモコン100で、外部のMP3プレーヤーや携帯用音楽プレーヤーの選曲や音量の調整が出来る。
【００１０】
以上の説明は、ただ、本考案のより良い具体的な実施例であり、本考案は、それによって制限されず、当該技術を良く分かる熟練者であれば、本考案の領域において、簡単に変更や修正ができ、その等価な変更や修正は、全てが本考案の実用新案登録請求の範囲に含まれる。
【００１１】
本考案に係わる無線リモコン機能付き車載用FM発射器は、USB接点とMP3及びWMAデコード機能を内蔵する車載用FM発射器であり、実用的であり、そして、本考案が、公開されることも刊行物に披露されることもないため、法に従って、実用新案登録請求を出願する。
【図面の簡単な説明】
【００１２】
【図１】本考案の構造概念図
【図２】本考案に係わるFM発射器本体と無線リモコンの構成概念図
【符号の説明】
【００１３】
(100)無線リモコン            (101)FM発射器本体
(1011)USB接点        (1012)MP3とWMAデコードチップ
(1013)無線デコードチップ     (102)USB MP3プレーヤー/携帯用音楽プレーヤー
(103)シガーライターソケット(104)車載用オーディオ